(57)【要約】【課題】移動通信端末機に表示された文字メッセージの一部の文字色を背景色と類似した色（又は同一の色）に選択的に変更するか、又は前記表示された文字メッセージの一部の背景色を文字色と類似した色（又は同一の色）に選択的に変更することにより、他人は前記表示された文字メッセージの内容を見ることができなくなるため、前記表示された文字メッセージの内容を保護し得る移動通信端末機の文字メッセージ表示装置及びその方法を提供する。【解決手段】移動通信端末機の文字メッセージ表示方法は、移動通信端末機の画面に表示された文字メッセージの文字色又は背景色、あるいは両色を類似した色又は同一の色に変更する段階を含む。【選択図】図１
2006197590.tif 000002
【特許請求の範囲】
【請求項１】
メッセージを表示部に表示する段階と、
前記表示されたメッセージをユーザが設定した表示領域内でのみ見えるようにする段階と
からなることを特徴とする移動通信端末機のメッセージ表示方法。
【請求項２】
メッセージを表示部に表示する第１段階と、
ユーザが設定した表示領域内のメッセージを前記ユーザが設定した表示領域外のメッセージより可読性良く表示する第２段階と
を含むことを特徴とする移動通信端末機のメッセージ表示方法。
【請求項３】
前記ユーザが設定した表示領域は、
行、文字、単語、カーソルのうち少なくとも１つ以上の基準で予め設定された領域であることを特徴とする請求項２に記載の移動通信端末機のメッセージ表示方法。
【請求項４】
前記第２段階は、
前記ユーザが設定した表示領域外の文字色又は背景色を変更するか、前記ユーザが設定した表示領域外の文字色を見えにくくすることを特徴とする請求項２に記載の移動通信端末機のメッセージ表示方法。
【請求項５】
移動通信端末機の文字メッセージの文字色及び前記文字メッセージの背景色を表示する表示部と、
ユーザが設定した表示領域内のメッセージを前記ユーザが設定した表示領域外のメッセージより可読性良く表示するように前記表示部を制御する制御部と、
を含むことを特徴とする移動通信端末機のメッセージ表示装置。
【請求項６】
前記ユーザが設定した表示領域は、
行、文字、単語、カーソルのうち少なくとも１つ以上の基準で予め設定された領域であることを特徴とする請求項５に記載の  移動通信端末機のメッセージ表示装置。
【請求項７】
前記制御部は、
前記ユーザが設定した表示領域外の文字色又は背景色を変更したり、前記ユーザが設定した表示領域外の文字色を見えにくくすることを特徴とする請求項５に記載の移動通信端末機のメッセージ表示装置。
【請求項８】
情報を表示するディスプレイスクリーンと、
ユーザが情報を入力し、カーソルを前記ディスプレイスクリーン上に移動可能にする入力装置と、
前記ディスプレイスクリーン及び入力装置と連動し、前記ディスプレイスクリーンの前記カーソルの位置を検出する段階と、前記検出されたカーソルの位置によって、表示される情報の少なくとも一部を容易に認識し得ないように処理する段階とを行うプロセッサと
を含むことを特徴とする移動通信端末機。
【請求項９】
前記検出及び処理する段階は、ユーザが選択できる非公開表示オプションの一部であることを特徴とする請求項８に記載の移動通信端末機。
【請求項１０】
前記非公開表示オプションは、ユーザが文字メッセージを入力するとき、又は受信した文字メッセージを読む時、あるいは両方の場合に行われることを特徴とする請求項９に記載の移動通信端末機。
【請求項１１】
前記表示される情報は、文字及び背景を含むことを特徴とする請求項８に記載の移動通信端末機。
【請求項１２】
前記処理する段階は、
前記文字又は背景、あるいは両方をグラフィック的に変更することで、文字が容易に認識されないようにすることを特徴とする請求項１１に記載の移動通信端末機。
【請求項１３】
文字色又は背景色、あるいは両色が類似した色又は同一の色に変更されることを特徴とする請求項１２に記載の移動通信端末機。
【請求項１４】
前記処理は、
カーソルが位置する行の以外の画面全体又は前記カーソルの前に位置する特定数の文字以外の画面全体に対して行われることを特徴とする請求項１３に記載の移動通信端末機。
【請求項１５】
前記カーソルは、ユーザが文字メッセージを入力するとき、又は受信した文字メッセージを読むときに、ユーザにより移動されることを特徴とする請求項１４に記載の移動通信端末機。
【請求項１６】
前記カーソルは、受信した文字メッセージの各行を選択して自動的に移動し、ユーザが各行を読めると共に、残りの部分は容易に認識し得ないようにすることを特徴とする請求項１４に記載の移動通信端末機。
【請求項１７】
前記カーソルの移動速度は、ユーザにより選択されることを特徴とする請求項１６に記載の移動通信端末機。
【請求項１８】
前記処理は、文字又は背景、あるいは両方をグラフィック的に変更し、文字を認識し得るウィンドウ部分以外の残りの部分の文字が見えにくく表示されるように行われることを特徴とする請求項１１に記載の移動通信端末機。
【請求項１９】
前記ウィンドウ部分のサイズは、１文字からディスプレイスクリーンの一行全体までの範囲であることを特徴とする請求項１８に記載の移動通信端末機。
【請求項２０】
前記ウィンドウ部分のサイズは、ユーザが調節可能であることを特徴とする請求項１８に記載の移動通信端末機。
【請求項２１】
前記処理は、前記表示される情報をグラフィック的に隠してその一部分のみを視覚的に可読にすることを特徴とする請求項１１に記載の移動通信端末機。
【発明の詳細な説明】
【技術分野】
【０００１】
本発明は、移動通信端末機に関し、特に、移動通信端末機の文字メッセージ表示装置及びその方法に関する。
【背景技術】
【０００２】
最近、移動通信端末機は、音声通話だけでなく文字メッセージの送信のためにも多用されている。
【０００３】
以下、従来の移動通信端末機の文字メッセージ表示方法を図６に基づいて説明する。
【０００４】
図６に示すように、従来の文字メッセージ表示方法では、ユーザが送信しようとする文字メッセージを入力すると（例えば、「あなた、どこにいるの？ここの電話番号は１２３−４５６−７８９０。電話して。」）、この文字メッセージが移動通信端末機の画面にそのまま表示される。しかしながら、その文字メッセージには、機密の内容が含まれているか、又は入力中に他人に見せたくない内容が含まれている可能性もある。従って、ユーザが文字メッセージの内容を隠したいと思った場合も、入力中に文字メッセージの内容が画面にそのまま表示されるため、他人にメッセージを読まれる可能性があった。
【０００５】
さらに、ユーザが移動通信端末機を利用して文字メッセージを確認中にも、前記文字メッセージが移動通信端末機の画面にそのまま表示されるため、ユーザの周りの人たちにメッセージの内容が見られる可能性があった。従って、ユーザが隠したいと思う文字メッセージの内容を保護し得ないという問題があった。
【発明の開示】
【発明が解決しようとする課題】
【０００６】
本発明は、このような問題を解決するために提案されたもので、本発明の目的は、移動通信端末機に表示された文字メッセージの一部の文字色を背景色と類似した色（又は同一の色）に選択的に変更するか、又は前記表示された文字メッセージの一部の背景色を文字色と類似した色（又は同一の色）に選択的に変更することにより、他人は前記表示された文字メッセージの内容を見ることができなくなるため、前記表示された文字メッセージの内容を保護し得る移動通信端末機の文字メッセージ表示装置及びその方法を提供することにある。
【課題を解決するための手段】
【０００７】
このような目的を達成するために、本発明の一実施形態による移動通信端末機の文字メッセージ表示装置は、移動通信端末機の文字メッセージの文字色及び背景色を表示する表示部と、前記表示された文字メッセージの文字色が自動的に前記背景色と類似した色になるように前記表示部を制御する制御部とから構成されることを特徴とする。
【０００８】
このような目的を達成するために、本発明の他の実施形態による移動通信端末機の文字メッセージ表示装置は、移動通信端末機の文字メッセージの文字色及び背景色を表示する表示部と、前記表示された文字メッセージの文字の背景色が自動的に前記文字色と類似した色になるように前記表示部を制御する制御部とから構成されることを特徴とする。
【０００９】
また、このような目的を達成するために、本発明の一実施形態による移動通信端末機の文字メッセージ表示方法は、移動通信端末機の画面に表示された文字メッセージの文字色を背景色と類似した色で自動的に表示する段階を有することを特徴とする。
【００１０】
このような目的を達成するために、本発明の他の実施形態による移動通信端末機の文字メッセージ表示方法は、移動通信端末機の画面に表示された文字メッセージの文字の背景色を前記文字色と類似した色で自動的に表示する段階を有することを特徴とする。
【００１１】
上記目的を達成するために、本発明は、例えば、以下の手段を提供する：
項目１．
メッセージを表示部に表示する段階と、
前記表示されたメッセージをユーザが設定した表示領域内でのみ見えるようにする段階と
からなることを特徴とする移動通信端末機のメッセージ表示方法。
【００１２】
項目２．
メッセージを表示部に表示する第１段階と、
ユーザが設定した表示領域内のメッセージを前記ユーザが設定した表示領域外のメッセージより可読性良く表示する第２段階と
を含むことを特徴とする移動通信端末機のメッセージ表示方法。
【００１３】
項目３．
前記ユーザが設定した表示領域は、
行、文字、単語、カーソルのうち少なくとも１つ以上の基準で予め設定された領域であることを特徴とする項目２に記載の移動通信端末機のメッセージ表示方法。
【００１４】
項目４．
前記第２段階は、
前記ユーザが設定した表示領域外の文字色又は背景色を変更するか、前記ユーザが設定した表示領域外の文字色を見えにくくすることを特徴とする項目２に記載の移動通信端末機のメッセージ表示方法。
【００１５】
項目５．
移動通信端末機の文字メッセージの文字色及び前記文字メッセージの背景色を表示する表示部と、
ユーザが設定した表示領域内のメッセージを前記ユーザが設定した表示領域外のメッセージより可読性良く表示するように前記表示部を制御する制御部と、
を含むことを特徴とする移動通信端末機のメッセージ表示装置。
【００１６】
項目６．
前記ユーザが設定した表示領域は、
行、文字、単語、カーソルのうち少なくとも１つ以上の基準で予め設定された領域であることを特徴とする項目５に記載の  移動通信端末機のメッセージ表示装置。
【００１７】
項目７．
前記制御部は、
前記ユーザが設定した表示領域外の文字色又は背景色を変更したり、前記ユーザが設定した表示領域外の文字色を見えにくくすることを特徴とする項目５に記載の移動通信端末機のメッセージ表示装置。
【００１８】
項目８．
情報を表示するディスプレイスクリーンと、
ユーザが情報を入力し、カーソルを前記ディスプレイスクリーン上に移動可能にする入力装置と、
前記ディスプレイスクリーン及び入力装置と連動し、前記ディスプレイスクリーンの前記カーソルの位置を検出する段階と、前記検出されたカーソルの位置によって、表示される情報の少なくとも一部を容易に認識し得ないように処理する段階とを行うプロセッサと
を含むことを特徴とする移動通信端末機。
【００１９】
項目９．
前記検出及び処理する段階は、ユーザが選択できる非公開表示オプションの一部であることを特徴とする項目８に記載の移動通信端末機。
【００２０】
項目１０．
前記非公開表示オプションは、ユーザが文字メッセージを入力するとき、又は受信した文字メッセージを読む時、あるいは両方の場合に行われることを特徴とする項目９に記載の移動通信端末機。
【００２１】
項目１１．
前記表示される情報は、文字及び背景を含むことを特徴とする項目８に記載の移動通信端末機。
【００２２】
項目１２．
前記処理する段階は、
前記文字又は背景、あるいは両方をグラフィック的に変更することで、文字が容易に認識されないようにすることを特徴とする項目１１に記載の移動通信端末機。
【００２３】
項目１３．
文字色又は背景色、あるいは両色が類似した色又は同一の色に変更されることを特徴とする項目１２に記載の移動通信端末機。
【００２４】
項目１４．
前記処理は、
カーソルが位置する行の以外の画面全体又は前記カーソルの前に位置する特定数の文字以外の画面全体に対して行われることを特徴とする項目１３に記載の移動通信端末機。
【００２５】
項目１５．
前記カーソルは、ユーザが文字メッセージを入力するとき、又は受信した文字メッセージを読むときに、ユーザにより移動されることを特徴とする項目１４に記載の移動通信端末機。
【００２６】
項目１６．
前記カーソルは、受信した文字メッセージの各行を選択して自動的に移動し、ユーザが各行を読めると共に、残りの部分は容易に認識し得ないようにすることを特徴とする項目１４に記載の移動通信端末機。
【００２７】
項目１７．
前記カーソルの移動速度は、ユーザにより選択されることを特徴とする項目１６に記載の移動通信端末機。
【００２８】
項目１８．
前記処理は、文字又は背景、あるいは両方をグラフィック的に変更し、文字を認識し得るウィンドウ部分以外の残りの部分の文字が見えにくく表示されるように行われることを特徴とする項目１１に記載の移動通信端末機。
【００２９】
項目１９．
前記ウィンドウ部分のサイズは、１文字からディスプレイスクリーンの一行全体までの範囲であることを特徴とする項目１８に記載の移動通信端末機。
【００３０】
項目２０．
前記ウィンドウ部分のサイズは、ユーザが調節可能であることを特徴とする項目１８に記載の移動通信端末機。
【００３１】
項目２１．
前記処理は、前記表示される情報をグラフィック的に隠してその一部分のみを視覚的に可読にすることを特徴とする項目１１に記載の移動通信端末機。
【発明の効果】
【００３２】
本発明は、移動通信端末機に表示された文字メッセージの一部の文字色を背景色と一致させるか、又は前記表示された文字メッセージの一部の背景色を文字色と一致させることにより、他人は前記表示された文字メッセージの内容を見ることができなくなるため、前記表示された文字メッセージの内容を保護することができるという効果がある。
【発明を実施するための最良の形態】
【００３３】
以下、移動通信端末機に表示された文字メッセージの一部の文字色を背景色と類似した色に変更するか（十分に一致させるか）、又は前記表示された文字メッセージの一部の背景色を文字色と類似した色に変更する（十分に一致させる）ことにより、他人は前記表示された文字メッセージの内容を容易に見ることができないように保護し得る、本発明に係る移動通信端末機の文字表示装置及びその方法の好ましい実施形態を図１〜図５に基づいて詳細に説明する。
【００３４】
本発明の説明の便宜上、図６に示す実施形態の内容である「あなた、どこにいるの？ここの電話番号は１２３−４５６−７８９０。電話して。」と同一の文字メッセージを利用して、従来のメッセージ作成方法との相違点を説明する。また、前記移動通信端末機の画面の背景色が白色（又は比較的薄い色）であり、文字色が黒色（又は比較的濃い色）であると仮定する。ここで、前記背景色及び前記文字色は、ユーザにより変更可能である。すなわち、本発明の特徴は、多様な文字色及び背景色の組み合わせに適用できる。
【００３５】
まず、本発明の一実施形態による移動通信端末機の表示装置は、移動通信端末機の文字メッセージの文字色及び前記文字メッセージの背景色を表示する表示部と、前記表示された文字メッセージの文字色が自動的に前記背景色と同一の色又は類似した色になるように前記表示部を制御する制御部とから構成される。
【００３６】
図１は、本発明の一実施形態による移動通信端末機の文字メッセージ表示方法を示すフローチャートである。
【００３７】
図１に示すように、本発明の一実施形態による移動通信端末機の文字メッセージ表示方法は、文字メッセージが表示された移動通信端末機の画面でカーソルの現在位置を検索する段階（Ｓ２１）と、前記検索されたカーソルの位置を基準に、前記移動通信端末機の画面に表示された文字メッセージの文字色を背景色と同一の色又は類似した色で自動的に表示する段階（Ｓ２２）とからなる。
【００３８】
前述した本発明の一実施形態による移動通信端末機の文字メッセージ表示方法を図２に基づいて詳細に説明する。
【００３９】
図２は、図１の方法により移動通信端末機の画面に表示された文字メッセージを示す図である。
【００４０】
まず、記移動通信端末機の画面に表示されたカーソルが位置する行の文字以外の文字の文字色を変更する場合を説明する。
【００４１】
図６に示すように従来の移動通信端末機の文字メッセージ表示方法によると、文字メッセージの全ての内容が背景と対比して鮮明に画面に表示された。
【００４２】
これに対して、本発明の一実施形態による移動通信端末機の文字メッセージ表示方法は、図２に示すように、カーソルが現在位置している行の文字のみが本来の文字色（例えば、黒色）で表示され、カーソルが位置していない他の行の文字は背景色と同一の色（例えば、白色）又は類似した色（例えば、灰色）で表示されるため、文字メッセージの内容自体が見づらくなるか、見えなくなるか、又は見えにくくなり、よって、文字メッセージの内容を保護することができる。従って、メッセージの少なくとも一部の内容（例えば、カーソルが位置する行以外の行）は他人に見られる確率が低い。
【００４３】
すなわち、前記制御部は、メッセージの内容である「あなた、どこにいるの？ここの電話番号は１２３−４５６−７８９０。電話して。」のうち、カーソルが現在位置している行の「１２３−４５６−７８９０。」の文字のみを本来の文字色（例えば、黒色）で前記表示部に表示し、他の行の文字である「あなた、どこにいるの？」、「ここの電話番号は」、「電話して。」は背景色と同一の色（例えば、白色）又は類似した色（例えば、灰色）で前記表示部に表示することで、他人は容易に前記表示部の他の行の文字を見ることができない。
【００４４】
ユーザが前記カーソルを他の行（例えば、「ここの電話番号は」）に移動させた場合、前記制御部は、カーソルが現在位置している行「ここの電話番号は」の文字のみを本来の文字色（例えば、黒色）で前記表示部に表示し、他の行の文字である「あなた、どこにいるの？」、「１２３−４５６−７８９０。」、「電話して。」は背景色と同一の色（例えば、白色）又は類似した色（例えば、灰色）で前記表示部に表示することで、他人が前記表示部の他の行の文字を容易に見ることを不可能にする。
【００４５】
次に、前記移動通信端末機の画面に表示されたカーソルを基準に予め設定された一定数の作成済みの文字以外の文字の文字色を変更する場合を説明する。
【００４６】
例えば、前記予め設定された一定数が５であり、ユーザが「Ｗｈｅｒｅ  ｉｓ  Ｍｒ．  Ｈｏｎｇ？」というメッセージを作成しようとする場合、ユーザが「Ｗｈｅｒｅ  ｉｓ」を作成してから「Ｍ」を作成するとき、現在カーソルは前記「Ｍ」に位置するので、前記制御部は、前記表示部に予め作成された５文字、すなわち、「ｅｒｅ  ｉｓ」を本来の文字色（例えば、黒色）で表示し、前記５文字以外の文字、すなわち、「Ｗｈ」を背景色と同一の色（例えば、白色）又は類似した色（例えば、灰色）で表示する。
【００４７】
カーソルの現在位置を基準に予め設定された一定数の文字のみが本来の文字色（例えば、黒色）で表示され、その他の文字は背景色と同一の色（例えば、白色）又は類似した色（例えば、灰色）で表示されるため、文字メッセージの内容自体が見えなくなるか、又は見えにくくなり、その内容が保護できる。
【００４８】
以下、移動通信端末機の画面に表示された文字メッセージの文字の背景色を前記文字の文字色と同一の色で表示することにより、他人に前記表示された文字メッセージを容易に読めないようにする、本発明の他の実施形態による移動通信端末機の文字メッセージの表示装置及びその方法を図３及び図４に基づいて説明する。
【００４９】
まず、本発明の他の実施形態による移動通信端末機の表示装置は、移動通信端末機の文字メッセージの文字色及び前記文字メッセージの背景色を表示する表示部と、前記表示された文字メッセージの文字の背景色が前記文字の文字色と自動的に同一の色又は類似した色になるように前記表示部を制御する制御部とから構成される。
【００５０】
図３は、本発明の他の実施形態による移動通信端末機の文字メッセージ表示方法を示すフローチャートである。
【００５１】
図３に示すように、本発明の他の実施形態による移動通信端末機の文字メッセージの表示方法は、文字メッセージが表示された移動通信端末機の画面でカーソルの現在位置を検索する段階（Ｓ４１）と、前記検索されたカーソルの位置を基準に、移動通信端末機の画面に表示された文字メッセージの文字の背景色を前記文字の文字色と同一の色又は類似した色で表示する段階（Ｓ４２）とからなる。
【００５２】
前述した本発明の他の実施形態による移動通信端末機の文字メッセージ表示方法を図４に基づいて詳細に説明する。
【００５３】
図４は、図３の方法により移動通信端末機の画面に表示された文字メッセージを示す図である。
【００５４】
まず、前記移動通信端末機の画面にカーソルが位置する行の文字以外の文字の背景色を変更する場合を説明する。
【００５５】
図６に示すように、従来の移動通信端末機の文字メッセージ表示方法は、文字メッセージの全ての内容が背景と対比して鮮明に画面に表示された。
【００５６】
しかしながら、本発明の他の実施形態による移動通信端末機の文字メッセージ表示方法は、図４に示すように、カーソルが現在位置している行の文字の背景色のみが本来の背景色（例えば、白色）で表示され、カーソルが位置していない他の行の文字の背景色は、前記カーソルが位置していない他の行の文字の文字色と同一の色（例えば、黒色）又は類似した色（例えば、灰色）で表示されるため、文字メッセージの内容自体を見えなくするか、又は見えにくくすることにより、その内容を保護することができる。
【００５７】
すなわち、前記制御部は、文字メッセージの内容である「あなた、どこにいるの？ここの電話番号は１２３−４５６−７８９０。電話して。」のうち、カーソルが現在位置している行の文字「１２３−４５６−７８９０。」の背景色のみを本来の背景色（例えば、白色）で前記表示部に表示し、他の行の文字である「あなた、どこにいるの？」、「ここの電話番号は」、「電話して。」の背景色は前記他の行の文字の文字色と同一の色（例えば、黒色）又は類似した色（例えば、灰色）で前記表示部に表示することで、他人は前記表示部の他の行の文字を容易に見ることができないようにする。
【００５８】
ユーザが前記カーソルを他の行（例えば、ここの電話番号は）に移動させた場合、前記制御部は、カーソルが現在位置している行の文字「ここの電話番号は」の背景色のみを本来の背景色（例えば、白色）で前記表示部に表示し、他の行の文字「あなた、どこにいるの？」、「１２３−４５６−７８９０。」、「電話して。」の背景色を前記他の行に表示された文字の文字色と同一の色（例えば、黒色）又は類似した色（例えば、灰色）で前記表示部に表示することで、他人は前記表示部の他の行の文字を容易に見ることができないようにする。
【００５９】
次に、前記移動通信端末機の画面に表示されたカーソルを基準に予め設定された一定数の作成済みの文字以外の文字の背景色を変更する場合を説明する。
【００６０】
例えば、前記予め設定された一定数が５であり、ユーザが「Ｗｈｅｒｅ  ｉｓ  Ｍｒ．  Ｈｏｎｇ？」というメッセージを作成しようとする場合、「Ｗｈｅｒｅ  ｉｓ」を入力してから「Ｍ」を入力するとき、現在カーソルは前記「Ｍ」に位置するので、前記制御部は、前記表示部に予め作成された５文字、すなわち、「ｅｒｅ  ｉｓ」の背景色を本来の背景色（例えば、白色）で表示し、前記５文字以外の文字、すなわち、「Ｗｈ」の背景色を前記５文字以外の文字の文字色と同一の色（例えば、黒色）又は類似した色（例えば、灰色）で表示する。
【００６１】
カーソルの現在位置を基準に予め設定された一定数の文字の背景色のみが本来の背景色（例えば、白色）で表示され、その他の文字の背景色は前記一定数の文字の文字色（例えば、黒色）と同一の色又は類似した色（例えば、灰色）で表示されるため、文字メッセージの内容自体が見えなくなるか、又は見えにくくなり、メッセージの内容が保護できる。
【００６２】
前述した「類似した色」についてさらに説明すると、前記「類似した色」は、移動通信端末機のユーザ以外の他人は前記移動通信端末機の画面に表示された文字メッセージを容易に読めない程度の色である。例えば、図１の本発明に係る実施形態において、文字色が白色で、画面の背景色が黒色である場合、前記類似した色は灰色、薄い灰色などであり、文字色が青色で、画面の背景色が赤色である場合、前記類似した色はオレンジ色、ピンク色、濃いオレンジ色などである。
【００６３】
前述したように本発明に係る移動通信端末機の文字メッセージ表示方法は、ユーザがメッセージの内容を入力するとき、カーソルの現在位置を把握してカーソルの現在位置を基準に周囲のいくつかの文字以外の文字を見えにくく表示したり、背景色を異なる色で表示することで、周りの他人に容易にメッセージの内容を読めないようにすることにより、ユーザが自分一人で見たいと思う内容（例えば、電話番号、口座番号、パスワード、その他の個人情報など）を周りの他人は容易に見ることができなくなるので、そのメッセージの内容及びプライバシーを保護することができる。
【００６４】
本発明は、情報を表示するディスプレイスクリーンと、ユーザが情報を入力すると共に、前記ディスプレイスクリーン上でカーソルを移動させる入力装置と、前記ディスプレイスクリーン及び入力装置と連動し、前記ディスプレイスクリーンの前記カーソルの位置を検出する段階と、前記検出されたカーソルの位置により表示される情報の少なくとも一部が容易に認識できないように処理する段階とを行うプロセッサとを含むことを特徴とする移動通信端末機を提供する。
【００６５】
前記検出及び処理する段階は、ユーザが選択できる非公開表示オプションの一部であり得る。前記非公開表示オプションは、ユーザが文字メッセージを入力するとき、又は受信した文字メッセージを読むとき、あるいは両方の場合に行われることを特徴とする。
【００６６】
前記表示される情報は、文字及び背景を含む。前記処理する段階は、前記文字又は背景、あるいは両方をグラフィック的に変更して文字が容易に認識されないようにする。文字色又は背景色、あるいは両方の色を類似した色又は同一の色に変更できる。前記処理は、カーソルが位置する行の全体又はカーソルの前に位置する特定数の文字以外の画面全体に対して行われる。
【００６７】
前記カーソルは、ユーザが文字メッセージを入力するとき、又は受信した文字メッセージを読むときにユーザが移動させることができる。前記カーソルは、受信した文字メッセージの各行を選択し、自動的に移動してユーザが各行を読めるようにすると共に、残りの部分は容易に認識できないようにすることができる。前記カーソルの移動速度はユーザにより選択される。
【００６８】
前記処理は、文字又は背景、あるいは両方をグラフィック的に変更し、文字を認識できるウィンドウ部分以外の残りの部分の文字が見えにくく表示されるように行われる。前記ウィンドウ部分のサイズは１文字からディスプレイスクリーンの一行全体までの範囲であることを特徴とする。前記ウィンドウ部分のサイズはユーザが調節可能である。
【００６９】
前記処理は、前記表示される情報をグラフィック的に隠してその一部分のみを視覚的に可読することができる。
【００７０】
前述された多様な特徴を実施するために、本発明に多様なハードウェア及び／又はソフトウェア要素を利用できる。例えば、多様なハードウェアモジュールには本発明の方法を実行するために必要な様々な回路及び部品が含まれる。また、プロセッサ及び／又は他のハードウェアにより実行される多様なソフトウェアモジュールには本発明の方法を実行するために必要な様々なコード及びプロトコルが含まれる。
【００７１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００７２】
【図１】本発明の一実施形態による移動通信端末機の文字メッセージ表示方法を示すフローチャートである。
【図２】図１の方法により移動通信端末機の画面に表示された文字メッセージを示す図である。
【図３】本発明の他の実施形態による移動通信端末機の文字メッセージ表示方法を示すフローチャートである。
【図４】図３の方法により移動通信端末機の画面に表示された文字メッセージを示す図である。
【図５】本発明の移動通信端末機の構造を示す図である。
【図６】従来の移動通信端末機において文字メッセージが作成された画面を示す図である。
【図１】
2006197590.tif 000003
【図２】
2006197590.tif 000004
【図３】
2006197590.tif 000005
【図４】
2006197590.tif 000006
【図５】
2006197590.tif 000007
【図６】
2006197590.tif 000008